(57)【特許請求の範囲】
【請求項１】
第一の取付対象物に透設された円形の軸穴と、第二の取付対象物に透設される円形の取付穴であって放射方向に向けて該取付穴から連通して設けられた複数の係合凹部を備える当該第二の取付対象物の取付穴とに対し、第一の取付対象物の軸穴から第二の取付対象物の取付穴に差し入れられて、一端部を該第一の取付対象物の軸穴縁に当接させ、かつ、他端側を第二の取付対象物の取付穴に係合させて、当該第二の取付対象物に対し第一の取付対象物を回動又は回転可能に組み付ける軸具であって、
この軸具が前記他端側に、前記第二の取付対象物の取付穴における複数の係合凹部に導き入れられて、当該係合凹部に先端側でそれぞれ係合される複数の弾性係合片を突き出し状に備えた差し込み部を備えると共に、
前記第一の取付対象物の軸穴縁に当接される一端部に連続して設けられ、かつ、前記第一の取付対象物の軸穴内に位置される軸頭部とを備えており、
前記差し込み部における前記各弾性係合片の突設基部若しくは該突設基部の下方に位置決め突部を備えており、又は、該各弾性係合片が前記位置決め突部に相当する張り出し状の位置決め突部を備えていると共に、
この複数の位置決め突部の突端を通る仮想の円の径が、前記第二の取付対象物の取付穴における径よりも大きく、かつ、前記各係合凹部の奥側面を通る仮想の円の径よりも小さくしてあることを特徴とする軸具。
【請求項２】
第一の取付対象物の軸穴内に位置される軸頭部の下側に、第二の取付対象物の取付穴の係合凹部に収まる突出部が設けてあることを特徴とする請求項１記載の軸具。
【発明の詳細な説明】
【０００１】
【発明の属する技術分野】
この発明は、第一の取付対象物に設けられた軸穴と第二の取付対象物に設けられた取付穴とに差し通されると共に、当該第二の取付対象物の取付穴に対して係合、固定されて、当該第二の取付対象物に対し第一の取付対象物を回動又は回転可能に組み付ける軸具の提供に関する。
【０００２】
【従来の技術】
第二の取付対象物に対し第一の取付対象物を回動又は回転可能に組み付けるにあたり、第一の取付対象物と第二の取付対象物とに組み付け状態において相互に連通する穴を設けておくと共に、この連通される穴に当該穴の一方から頭部を備えた軸桿を差し通し、このように差し通されて前記連通される穴の他方から突き出される軸桿の先端部にＥリングやナット等を留め付けて、当該Ｅリング等と前記頭部との間で前記連通される一対の穴の穴縁に続く外面を挟み込付けるようにして当該軸桿を固定し、このように固定される軸桿を中心に第二の取付対象物に対し第一の取付対象物を回動又は回転可能に組み付ける手法が汎用されている。
【０００３】
【発明が解決しようとする課題】
しかるに、かかる従来の手法にあっては、前記軸桿の先端部に前記Ｅリング等を留め付けることを要し、また、このＥリング等の留め付けを要する結果、かかる従来の手法による前記第一、第二の取付対象物の組み付けをなすにあたっては、前記Ｅリング等の幅寸法分の隙間が当該軸桿の先端部が突き出されている前記穴の周囲に確保されていることを要するものであった。
【０００４】
このため、かかる従来の手法は、前記軸桿の先端部が突き出される穴が、前記取付対象物におけるコーナー部等、穴の近傍に側壁などが近接している箇所に開設されている場合には、当該軸桿の先端部に前記Ｅリング等を留め付けることができないか、あるいはまた、かかる留め付けを困難なものとするため、用いることができなかった。
【０００５】
そこでこの発明は、かかる従来の技術の不都合を解消することを目的とする。
【０００６】
また、他の部品を要することなく、第一の取付対象物に設けられた軸穴と第二の取付対象物に設けられた取付穴とに差し通すだけで、当該第二の取付対象物に対し第一の取付対象物を回動又は回転可能に組み付けることができ、したがって、前記取付穴が前記第二の取付対象物におけるコーナー部等、取付穴の近傍に側壁などが近接している箇所に開設されている場合であっても、前記組み付けを容易かつ確実になすことが可能な軸具の提供を目的とする。
【０００７】
【課題を解決するための手段】
前記目的を達成するために、請求項１記載の発明では、軸具を、第一の取付対象物Ｍに透設された円形の軸穴１００と、第二の取付対象物Ｓに透設される円形の取付穴２００であって放射方向に向けて該取付穴２００から連通して設けられた複数の係合凹部２０１、２０１…を備える当該第二の取付対象物Ｓの取付穴２００とに対し、第一の取付対象物Ｍの軸穴１００から第二の取付対象物Ｓの取付穴２００に差し入れられて、一端部を該第一の取付対象物Ｍの軸穴１００縁に当接させ、かつ、他端側を第二の取付対象物Ｓの取付穴２００に係合させて、当該第二の取付対象物Ｓに対し第一の取付対象物Ｍを回動又は回転可能に組み付ける軸具であって、この軸具が前記他端側に、前記第二の取付対象物Ｓの取付穴２００における複数の係合凹部２０１、２０１…に導き入れられて、当該係合凹部２０１に先端側でそれぞれ係合される複数の弾性係合片２２、２２…を突き出し状に備えた差し込み部２０を備えると共に、前記第一の取付対象物Ｍの軸穴１００縁に当接される一端部に連続して設けられ、かつ、前記第一の取付対象物Ｍの軸穴１００内に位置される軸頭部１０とを備えており、前記差し込み部２０における前記各弾性係合片２２、２２…の突設基部若しくは該突設基部の下方に位置決め突部２３を備えており、又は、該各弾性係合片２２、２２…が前記位置決め突部２３に相当する張り出し状の位置決め突部２３を備えていると共に、この複数の位置決め突部２３の突端を通る仮想の円の径ｚ−３が、前記第二の取付対象物Ｓの取付穴２００における径ｙよりも大きく、かつ、前記各係合凹部２０１、２０１…の奥側面２０１ａを通る仮想の円ｙ’の径よりも小さくしてある構成のものとした。
【０００８】
また、請求項２記載の発明では、請求項１記載の軸具がさらに、第一の取付対象物Ｍの軸穴１００内に位置される軸頭部１０の下側に、第二の取付対象物Ｓの取付穴２００の係合凹部２０１に収まる突出部１３を備えた構成のものとした。
【０００９】
【発明の実施の形態】
以下、図１ないし図１３に基づいて、この発明の典型的な実施の形態について説明する。
【００１０】
なお、ここで図１は、この実施の形態にかかる軸具と、この軸具により組み付けられる第一の取付対象物Ｍと第二の取付対象物Ｓの構成を理解し易いように、これらを分離した状態で示している。
【００１１】
また、図２および図４は、相互に連通するように位置付けられた第一の取付対象物Ｍの軸穴１００と第二の取付対象物Ｓの取付穴２００に対し、当該軸穴１００の側から軸具の差し込み部２０の先端側を差し入れた状態を、当該両取付対象物Ｍ、Ｓを縦断面の状態として示しており、また、図５および図７は、前記第一の取付対象物Ｍの軸穴１００縁に軸具の一端部、すなわち、軸頭部１０の後述する拡径部を当接させ、かつ、前記第二の取付対象物Ｓの取付穴２００に軸具の他端側、すなわち、差し込み部２０に設けられた弾性係合片２２の先端側を係合させて、前記両取付対象物Ｍ、Ｓを組み付けた状態を理解し易いように、両取付対象物Ｍ、Ｓを縦断面の状態として示している。
【００１２】
また、図３は図２に示される状態において、当該軸具を前記差し込み部２０の先端側から見た状態で、また、図６は図５に示される状態において、当該軸具を前記差し込み部２０の先端側から見た状態で、それぞれ示している。
【００１３】
また、図８は軸具を前記弾性係合片２２の突き出されている一側方から見た状態で、また、図１１は図８に示される軸具を右側から見た状態で、また、図１２は前記差し込み部２０の先端側から見た状態で、さらに、図１３は軸頭部１０側から見た状態で、それぞれ示している。
【００１４】
さらに、図９および図１０は、軸具を横断面の状態として、それぞれ示している。
【００１５】
先ず、この実施の形態にかかる軸具は、第一の取付対象物Ｍに透設された円形の軸穴１００と、第二の取付対象物Ｓに透設される円形の取付穴２００であって放射方向に向けて該取付穴２００から連通して設けられた複数の係合凹部２０１、２０１…を備える当該第二の取付対象物Ｓの取付穴２００とに対し、第一の取付対象物Ｍの軸穴１００から第二の取付対象物Ｓの取付穴２００に差し入れられて、一端部を該第一の取付対象物Ｍの軸穴１００縁に当接させ、かつ、他端側を第二の取付対象物Ｓの取付穴２００に係合させて、当該第二の取付対象物Ｓに対し第一の取付対象物Ｍを回動又は回転可能に組み付ける軸具であって、この軸具が前記他端側に、前記第二の取付対象物Ｓの取付穴２００における複数の係合凹部２０１、２０１…に導き入れられて、当該係合凹部２０１に先端側でそれぞれ係合される複数の弾性係合片２２、２２…を突き出し状に備えた差し込み部２０を備えると共に、前記第一の取付対象物Ｍの軸穴１００縁に当接される一端部に連続して設けられ、かつ、前記第一の取付対象物Ｍの軸穴１００内に位置される軸頭部１０とを備える構成としてある。
【００１６】
したがって、この実施の形態にかかる軸具によれば、相互に連通される第一の取付対象物Ｍの軸穴１００と第二の取付対象物Ｓの取付穴２００とに対し、第一の取付対象物Ｍの軸穴１００側から前記差し込み部２０を差し通して、前記第二の取付対象物Ｓの取付穴２００における複数の係合凹部２０１、２０１…にそれぞれ前記複数の弾性係合片２２、２２…を係合させることにより当該第二の取付対象物Ｓにワンタッチで取り付け、固定できると共に、このように第二の取付対象物Ｓに固定された軸具における前記第一の取付対象物Ｍの軸穴１００内に位置される軸頭部１０を回動又は回転中心として、第一の取付対象物Ｍを第二の取付対象物Ｓに対して回動又は回転可能に組み付けることができる。
【００１７】
この結果、この実施の形態にかかる軸具によれば、前記取付穴２００が前記第二の取付対象物Ｓにおけるコーナー部等、取付穴２００の近傍に側壁Ｓ”などが近接している箇所に開設されている場合であっても、他の部品を要することなく、前記組み付けを容易かつ確実になすことができる。
【００１８】
また、軸具は第二の取付対象物Ｓの取付穴２００における複数の係合凹部２０１、２０１…にそれぞれ前記差し込み部２０に設けられた複数の弾性係合片２２、２２…を係合させて当該取付穴２００に差し入れ、固定されることから、前記軸頭部１０を回動又は回転中心とした前記第一の取付対象物Ｍの回動又は回転に伴って、当該取付穴２００内において軸具が回転又は回動されることがなく、前記第一の取付対象物Ｍを第二の取付対象物Ｓに対して安定的に組み付けることができる。
【００１９】
また、この実施の形態にかかる軸具は、前記差し込み部２０における前記各弾性係合片２２、２２…の突設基部若しくは該突設基部の下方に位置決め突部２３を備えており、又は、該各弾性係合片２２、２２…が前記位置決め突部２３に相当する張り出し状の位置決め突部２３を備えていると共に、この複数の位置決め突部２３、２３…の突端を通る仮想の円の径ｚ−３が、前記第二の取付対象物Ｓの取付穴２００における径ｙよりも大きく、かつ、前記各係合凹部２０１、２０１…の奥側面２０１ａを通る仮想の円の径ｙ’よりも小さくする構成としてある。
【００２０】
したがって、この実施の形態にかかる軸具によれば、前記第一の取付対象物Ｍの軸穴１００から差し入れられた前記差し込み部２０における前記各弾性係合片２２、２２…が、それぞれ前記取付穴２００の前記各係合凹部２０１、２０１…に入り込む向きでのみ、当該取付穴２００に前記差し込み部２０を差し入れることができ、格別の配慮を要することなく、当該取付穴２００に対して正確に軸具を取り付けることができる。
【００２１】
また、前記実施の形態にかかる軸具において、さらに、第一の取付対象物Ｍの軸穴１００内に位置される軸頭部１０の下側に、第二の取付対象物Ｓの取付穴２００の係合凹部２０１に収まる突出部１３を備えた構成としたものが、この発明の最良の実施の形態の一つとされる。
【００２２】
かかる構成によれば、前記第二の取付対象物Ｓの取付穴２００における複数の係合凹部２０１、２０１…にそれぞれ前記差し込み部２０に設けられた複数の弾性係合片２２、２２…を係合させるのみならず、この係合凹部２０１に前記突出部１３を収めて、前記軸具を当該取付穴２００に差し入れ、固定できることから、前記第一の取付対象物Ｍを第二の取付対象物Ｓに対して一層安定的に組み付けることができる。
【００２３】
次いで、図１ないし図１３に示される、この発明の具体的な実施の形態について詳細に説明する。
【００２４】
この実施の形態に係る軸具は、第一の取付対象物Ｍに透設された軸穴１００と、第二の取付対象物Ｓに透設される取付穴２００とに差し通されて、当該第二の取付対象物Ｓに対して第一の取付対象物Ｍを回動又は回転可能に組み付けるものであって、前記差し通し状態において、第二の取付対象物Ｓの取付穴２００に係合、固定される差し込み部２０と、この差し込み部２０の一端側に設けられると共に、前記差し通し状態において前記第一の取付対象物Ｍの軸穴１００内に位置される軸頭部１０とを備えている。
【００２５】
前記軸頭部１０は頂端側に円盤状をなす拡径部１１を備えていると共に、この頂端と反対の下端側と当該頂端との間の中間部１２を備え、この中間部１２における該軸頭部１０の軸中心線を巡る向きにある外周面が、仮想の円上に位置するように構成してある。
【００２６】
実施の形態にあっては、かかる軸頭部１０における中間部１２の外周面が位置される前記仮想の円の径ｚ−１が、前記第一の取付対象物Ｍに透設された軸穴１００の径ｘよりもやや小さい径に構成してある。
【００２７】
一方、前記差し込み部２０は、前記軸頭部１０における下端面に対して略直交する向きに突き出し状に設けられた板状部２１と、この板状部２１の両面側においてそれぞれ、この板状部２１の突き出し先端側を基部として、前記軸頭部１０の側に向けて突設される一対の弾性係合片２２、２２とを備えている。
【００２８】
前記一対の弾性係合片２２、２２はそれぞれ、前記基部側から先端側に向けて次第に前記板状部２１の面との間隔を拡げるように外拡がり状に設けられている。また、この弾性係合片２２の先端側における該弾性係合片２２の外側には、この弾性係合片２２の先端縁２２ｂとの間にやや間隔を開けて前記軸頭部１０の下端面に向き合った係合面２２ａが設けてある。
【００２９】
この実施の形態にあっては、かかる差し込み部２０における板状部２１の前記弾性係合片２２が設けられていない幅狭側の端面間の寸法ｚ−２が、前記第一の取付対象物Ｍに透設された軸穴１００の径ｘおよび前記第二の取付対象物Ｓに透設された取付穴２００の径ｙよりもやや小さくなるように構成してあると共に、前記一対の弾性係合片２２、２２の外面間の寸法が、当該弾性係合片２２の基部側において前記第一の取付対象物Ｍの軸穴１００径ｘ及び第二の取付対象物Ｓの取付穴２００の径ｙよりもやや小さく、当該弾性係合片２２の先端側において当該軸穴１００の径ｘ及び取付穴２００の径ｙよりも大きくなるように構成してある。
【００３０】
また、前記差し込み部２０における前記一対の弾性係合片２２、２２の突設基部外側にはそれぞれ、当該差し込み部２０の突き出し方向に沿った当該弾性係合片２２の先端を通る仮想の直線上に位置するように、位置決め突部２３が設けてある。
【００３１】
この実施の形態にあっては、かかる差し込み部２０における一対の位置決め突部２３、２３の突端をそれぞれ通る仮想の円の径ｚ−３が、前記第一の取付対象物Ｍの軸穴１００の径ｘよりも小さく構成してある。
【００３２】
一方、この実施の形態にあっては、前記第二の取付対象物Ｓに透設される前記取付穴２００が、当該取付穴２００の直径方向両側に向けて、該取付穴２００の外方に向けて該取付穴２００に連通して設けられる一対の係合凹部２０１、２０１を備えている。
【００３３】
そして、この実施の形態にあっては、前記差し込み部２０における一対の位置決め突部２３、２３の突端をそれぞれ通る仮想の円の径ｚ−３が、前記第二の取付対象物Ｓの取付穴２００の径ｙよりも大きく、かつ、当該各係合凹部２０１、２０１…の奥側面２０１ａを通る仮想の円の径ｙ’よりも小さく構成してある。
【００３４】
この実施の形態にかかる軸具は、以上に説明した構成を備えることから、先ず、図２に示されるように、相互に連通するように位置付けられた第一の取付対象物Ｍの前記軸穴１００と第二の取付対象物Ｓの前記取付穴２００とに対し、当該第二の取付対象物Ｓに接し合わない側にある当該軸穴１００の穴口より前記差し込み部２０をその先端側から差し入れることができる。ここで、当該差し込み部２０に設けられている前記一対の弾性係合片２２、２２は、その先端外面間の寸法を前記軸穴１００の径ｘよりも大きく構成してあることから、当該差し入れに伴ってその外側面を当該軸穴１００縁に接しさせて内側に次第に撓み込まされる。
【００３５】
次いで、さらに前記差し込み部２０の差し入れをなすと、前記のように差し入れられた差し込み部２０の先端が第二の取付対象物Ｓにおける第一の取付対象物Ｍに接し合う側にある取付穴２００縁に接するに至るが、かかる差し込み部２０の先端側に設けてある前記一対の位置決め突部２３、２３の突端間の寸法ｚ−３は当該取付穴２００の径ｙよりも大きいことから、図２および図３に示されるように、前記係合凹部２０１に前記位置決め突部２３が入り込まない向きで前記差し込み部２０が差し入れられている場合には、当該位置決め突部２３が前記取付穴２００の穴縁に突き当たって、この突き当たり位置より先への差し込み部２０の差し入れが規制される。
【００３６】
一方、前記差し込み部２０の一対の位置決め突部２３、２３の突端間の寸法ｚ−３は、前記取付穴２００における一対の係合凹部２０１、２０１の奥側面２０１ａが位置される仮想の円の径ｙ’よりも小さく構成してあることから、前記差し入れの規制を受けた軸具を、当該位置決め突部２３が前記係合凹部２０１に入り込む向きとなるまで捻回することにより、図４に示されるように、前記取付穴２００に対する前記差し込み部２０の差し入れを許容させることができる。
【００３７】
このように前記位置決め突部２３が前記取付穴２００の係合凹部２０１に入り込む向きに前記軸具を位置付けた後、当該取付穴２００に対して前記差し込み部２０の差し入れを更に行うと、前記一対の弾性係合片２２、２２の先端間の寸法はかかる位置決め突部２３の突端間の寸法ｚ−３よりも大きく、しかも、当該一対の弾性係合片２２、２２の先端は当該位置決め突部２３の直上に位置されていることから、当該一対の弾性係合片２２、２２は前記係合凹部２０１縁にその外側面を接しさせながら内側にさらに撓み込まされる。
【００３８】
この後、前記一対の弾性係合片２２、２２の先端側に設けられている前記係合面２２ａが前記第二の取付対象物Ｓの取付穴２００における前記第一の取付対象物Ｍに接し合わない側にある穴縁を超える位置まで更に前記差し込み部２０が差し入れられると、前記係合面２２ａは前記軸頭部１０に向き合う面とされていることから、この係合面２２ａと当該弾性係合片２２の先端縁２２ｂ間に設けられている段差面２２ｃを前記係合凹部２０１の奥側面２０１ａに接しさせる位置まで前記弾性係合片２２は外側に弾性復帰されるに至る。
【００３９】
この結果、前記一対の弾性係合片２２、２２の前記係合面２２ａが、前記第二の取付対象物Ｓにおける前記係合凹部２０１縁に続く第一の取付対象物Ｍに向き合わない面に向き合うように位置付けられることから、この状態において、軸具は当該取付穴２００から抜け出さない状態で前記第二の取付対象物Ｓに固定され、かつ、この状態において前記第一の取付対象物Ｍにおける第二の取付対象物Ｓと向き合わない側にある軸穴１００縁に前記軸頭部１０の拡径部１１下面が当接されることから、前記第二の取付対象物Ｓに固定された軸具により第一の取付対象物Ｍは当該第二の取付対象物Ｓに対して組み付けられる。
【００４０】
また、このように組み付けられた第一の取付対象物Ｍに対して軸具は、前記軸頭部１０における中間部１２を前記軸穴１００内に位置させることから、第一の取付対象物Ｍをこの軸頭部１０の中間部１２を回転又は回動中心として、第二の取付対象物Ｓに対して回転又は回動させることができる。
【００４１】
この回動又は回転に伴って、第二の取付対象物Ｓの取付穴２００に固定されている前記軸具には、該回動又は回転方向に向けてこの軸具を連れ回わりさせる向きの力が加えられることになるが、当該軸具は前記一対の弾性係合片２２、２２を前記取付穴２００の一対の係合凹部２０１、２０１にそれぞれ収め入れた状態で該第二の取付対象物Ｓに固定されており、前記連れ回りされる力を当該弾性係合片２２の側面と係合凹部２０１の側壁面２０１ｂとを接し合わせて受けることから、前記第一の取付対象物Ｍの回動又は回転によって、軸具が回動などされることはなく、この軸具による第一の取付対象物Ｍと第二の取付対象物Ｓとの組み付け状態は常時安定に保たれる。
【００４２】
また、この実施の形態にあっては、前記第一の取付対象物Ｍの軸穴１００内に位置されれる軸頭部１０の下側に、この軸穴１００における第二の取付対象物Ｓに向き合った側の穴縁から下方に突き出し、かつ、第二の取付対象物Ｓの取付穴２００の係合凹部２０１に収まる一対の突出部１３が形成してある。
【００４３】
したがって、この実施の形態にかかる軸具にあっては、前記第二の取付対象物Ｓの取付穴２００における一対の係合凹部２０１、２０１にそれぞれ前記差し込み部２０に設けられた一対の弾性係合片２２、２２を係合させるのみならず、この係合凹部２０１に前記突出部１３を収めて、前記軸具を当該取付穴２００に差し入れ固定でき、前記第一の取付対象物Ｍの第二の取付対象物Ｓに対する組み付けを一層安定的に確保することができる。
【００４４】
すなわち、この実施の形態にかかる軸具にあたっては、前記第一の取付対象物Ｍの軸穴１００と前記第二の取付対象物Ｓの取付穴２００とに前記差し込み部２０を差し通すことにより、他の部品を要することなく、ワンタッチで両取付対象物Ｍ、Ｓを当該第一の取付対象物Ｍを回動など可能な状態で組み付けることができると共に、例えば、第二の取付対象物Ｓの取付穴２００近傍に側壁Ｓ”などが近接している場合であっても、何等支障なく前記組み付けをなすことができる特長を有している。
【００４５】
なお、前記差し込み部２０に設けられた弾性係合片２２に所要の弾性変形特性を付与する観点からは、この軸具はプラスチック材料を用いて一体に成形して構成することがこの発明の最良の実施の形態の一つとされる。
【００４６】
また、以上に説明した実施の形態にあっては、前記第二の取付対象物Ｓの取付穴２００が直径方向両側に一対の係合凹部２０１、２０１を備えており、この一対の係合凹部２０１、２０１に収まり、係合される一対の弾性係合片２２、２２を前記差し込み部２０に備える構成としてあるが、前記取付穴２００が放射方向に向けて三ヶ所以上の係合凹部を備える場合には、この三か所以上の係合凹部に収まり係合される三つ以上の弾性係合片を前記差し込み部２０に設けて軸具を構成することが、この発明の最良の実施の形態の一つとされる。
【００４７】
なお、以上に説明した実施の形態においては、前記第一の取付対象物Ｍにおける前記第二の取付対象物Ｓに向き合わない側に設けた円形の凹部１０１内に前記軸穴１００が開設してあり、この軸穴１００に収められた前記軸具の軸頭部１０における拡径部１１が当該第一の取付対象物Ｍの板面から突き出さない構成としてある。
【００４８】
また、前記第一の取付対象物Ｍと第二の取付対象物Ｓとの相互に向き合う面における前記軸穴１００周縁と前記取付穴２００周縁とには、環状をなす立上り周壁Ｍ’、Ｓ’が設けてあり、第一の取付対象物Ｍに設けられた立上り周壁Ｍ’の外側に第二の取付対象物Ｓに設けられた立上り周壁Ｓ’の内側が接するように両立上り周壁Ｍ’、Ｓ’が周壁面を接し合わせて嵌り合った状態で前記両取付対象物Ｍ、Ｓが組み付けられる構成としてある。これにより、第一の取付対象物Ｍの前記回動などに伴う荷重の全てが前記軸具に加わらないものとされ、当該軸具の変形などを生じ難いものとしている。
【００４９】
【発明の効果】
この発明にかかる軸具は、第一の取付対象物Ｍに透設された円形の軸穴１００と、第二の取付対象物Ｓに透設される円形の取付穴２００であって放射方向に向けて該取付穴２００から連通して設けられた複数の係合凹部２０１、２０１…を備える当該第二の取付対象物Ｓの取付穴２００とに対し、第一の取付対象物Ｍの軸穴１００から第二の取付対象物Ｓの取付穴２００に差し入れられて、一端部を該第一の取付対象物Ｍの軸穴１００縁に当接させ、かつ、他端側を第二の取付対象物Ｓの取付穴２００に係合させて、当該第二の取付対象物Ｓに対し第一の取付対象物Ｍを回動又は回転可能に組み付ける軸具であって、この軸具が前記他端側に、前記第二の取付対象物Ｓの取付穴２００における複数の係合凹部２０１、２０１…に導き入れられて、当該係合凹部２０１に先端側でそれぞれ係合される複数の弾性係合片２２、２２…を突き出し状に備えた差し込み部２０を備えると共に、前記第一の取付対象物Ｍの軸穴１００縁に当接される一端部に連続して設けられ、かつ、前記第一の取付対象物Ｍの軸穴１００内に位置される軸頭部１０とを備える構成としてあることから、相互に連通される第一の取付対象物Ｍの軸穴１００と第二の取付対象物Ｓの取付穴２００とに対し、第一の取付対象物Ｍの軸穴１００側から前記差し込み部２０を差し通して、前記第二の取付対象物Ｓの取付穴２００における複数の係合凹部２０１、２０１…にそれぞれ前記複数の弾性係合片２２、２２…を係合させることにより当該第二の取付対象物Ｓにワンタッチで取り付け、固定できると共に、このように第二の取付対象物Ｓに固定された軸具における前記第一の取付対象物Ｍの軸穴１００内に位置される軸頭部１０を回動又は回転中心として、第一の取付対象物Ｍを第二の取付対象物Ｓに対して回動又は回転可能に組み付けることができる。
【００５０】
この結果、前記取付穴２００が前記第二の取付対象物Ｓにおけるコーナー部等、取付穴２００の近傍に側壁Ｓ”などが近接している箇所に開設されている場合であっても、他の部品を要することなく、前記組み付けを容易かつ確実になすことができる。
【００５１】
また、軸具は第二の取付対象物Ｓの取付穴２００における複数の係合凹部２０１、２０１…にそれぞれ前記差し込み部２０に設けられた複数の弾性係合片２２、２２…を係合させて当該取付穴２００に差し入れ、固定されることから、前記軸頭部１０を回動又は回転中心とした前記第一の取付対象物Ｍの回動又は回転に伴って、当該取付穴２００内において軸具が回転又は回動されることがなく、前記第一の取付対象物Ｍを第二の取付対象物Ｓに対して安定的に組み付けることができる。
【００５２】
また、この発明にかかる軸具は、前記差し込み部２０における前記各弾性係合片の突設基部若しくは該突設基部の下方に位置決め突部２３を備えており、又は、該各弾性係合片２２、２２…が前記位置決め突部２３に相当する張り出し状の位置決め突部２３を備えていると共に、この複数の位置決め突部２３の突端を通る仮想の円の径ｚ−３が、前記第二の取付対象物Ｓの取付穴２００における径ｙよりも大きく、かつ、当該各係合凹部２０１、２０１…の奥側面２０１ａを通る仮想の円の径ｙ’よりも小さくする構成としてあることから、前記第一の取付対象物Ｍの軸穴１００から差し入れられた前記差し込み部２０における前記各弾性係合片２２、２２…が、それぞれ前記取付穴２００の前記各係合凹部２０１、２０１…に入り込む向きでのみ、当該取付穴２００に前記差し込み部２０を差し入れることができ、格別の配慮を要することなく、当該取付穴２００に対して正確に軸具を取り付けることができる。
【図面の簡単な説明】
【図１】軸具、第一の取付対象物Ｍおよび第二の取付対象物Ｓの斜視図
【図２】軸具の使用状態を示す側面図
【図３】軸具の使用状態を示す底面図
【図４】軸具の使用状態を示す側面図
【図５】軸具の使用状態を示す側面図
【図６】軸具の使用状態を示す底面図
【図７】軸具の使用状態を示す側面図
【図８】軸具の正面図
【図９】図８におけるＡ−Ａ線断面図
【図１０】図８におけるＢ−Ｂ線断面図
【図１１】軸具の右側面図
【図１２】軸具の底面図
【図１３】軸具の平面図
【符号の説明】
Ｍ  第一の取付対象物
１００  軸穴
Ｓ  第二の取付対象物
２００  取付穴
２０１  係合凹部
２０１ａ  奥側面
ｙ  径
ｙ’径
１０  軸頭部
１３  突出部
２０  差し込み部
２２  弾性係合片
２３  位置決め突部
ｚ−３  径
【図１】
0003689471.tif 000002
【図２】
0003689471.tif 000003
【図３】
0003689471.tif 000004
【図４】
0003689471.tif 000005
【図５】
0003689471.tif 000006
【図６】
0003689471.tif 000007
【図７】
0003689471.tif 000008
【図８】
0003689471.tif 000009
【図９】
0003689471.tif 000010
【図１０】
0003689471.tif 000011
【図１１】
0003689471.tif 000012
【図１２】
0003689471.tif 000013
【図１３】
0003689471.tif 000014